【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
次亜塩素酸水に含まれる非解離型の次亜塩素酸を揮発させて対象空間に拡散し、前記対象空間の殺菌する空間殺菌装置であって、
次亜塩素酸を含有する水素イオン濃度が、３．０以上、８．５以下の次亜塩素酸水を保持するトレイと、
次亜塩素酸を揮発させるための通風揮発部と、
揮発させた次亜塩素酸を送風するための送風機と、
次亜塩素酸を電気分解で生成するための電解部と、
運転制御を行う制御部と、
前記トレイへ水を給水する給水部と、
前記トレイ内の次亜塩素酸含有の水を排水する排水部と、
を備え、
前記制御部は、運転初期に前記対象空間の相対湿度を８０％以上にする加湿する加湿工程を行い、その後に、前記トレイ内水の電気分解を含む殺菌工程に移行する運転制御アルゴリズムを備えたことを特徴とする空間殺菌装置。
【請求項２】
前記制御部は、前記加湿工程の運転時間から前記トレイ内の水に溶け込んだ空気中成分によって消費される次亜塩素酸量を算出し、前記電解部の電解量を増大させることを特徴とする請求項１に記載の空間殺菌装置。
【請求項３】
前記制御部は、運転初期に一定時間、前記トレイに水を給水せずに送風する集塵工程を行い、前記集塵工程の実施後に前記トレイに給水し加湿運転を行う前記加湿工程と、前記加湿工程後に電気分解と次亜塩素酸の揮発を行う前記殺菌工程にそれぞれ移行する運転制御アルゴリズムをさらに備えたことを特徴とする請求項１に記載の空間殺菌装置。
【手続補正２】
【補正対象書類名】明細書
【補正対象項目名】０００７
【補正方法】変更
【補正の内容】
【０００７】
すなわち、次亜塩素酸水に含まれる非解離型の次亜塩素酸を揮発させて対象空間に拡散し、次亜塩素酸で対象空間の殺菌することを特徴とする空間殺菌装置において、次亜塩素酸を含有する水素イオン濃度が、３．０以上、８．５以下の次亜塩素酸水を保持するトレイと、次亜塩素酸を揮発させるための通風揮発部と、揮発させた次亜塩素酸を送風するための送風機と、次亜塩素酸を電気分解で生成するための電解部と、運転制御を行う制御部と、前記トレイへ水を給水する給水部と、トレイ内の次亜塩素酸含有の水を排水する排水部と、を備え、制御部は、運転初期に対象空間の相対湿度を８０％以上にする加湿する加湿工程を行い、その後に、トレイ内水の電気分解を含む殺菌工程に移行する運転制御アルゴリズムを備えたものであり、これにより所期の目的を達成するものである。
【手続補正３】
【補正対象書類名】明細書
【補正対象項目名】００１０
【補正方法】変更
【補正の内容】
【００１０】
本発明に係る空間殺菌装置は、次亜塩素酸水に含まれる非解離型の次亜塩素酸を揮発させて対象空間に拡散し、次亜塩素酸で対象空間の殺菌することを特徴とする空間殺菌装置であって、次亜塩素酸を含有する水素イオン濃度が、３．０以上、８．５以下の次亜塩素酸水を保持するトレイと、次亜塩素酸を揮発させるための通風揮発部と、揮発させた次亜塩素酸を送風するための送風機と、次亜塩素酸を電気分解で生成するための電解部と、運転制御を行う制御部と、前記トレイへ水を給水する給水部と、トレイ内の次亜塩素酸含有の水を排水する排水部と、を備え、制御部は、運転初期に対象空間の相対湿度を８０％以上にする加湿する加湿工程を行い、その後に、トレイ内水の電気分解を含む殺菌工程に移行する運転制御アルゴリズムを備えたものである。
【手続補正４】
【補正対象書類名】明細書
【補正対象項目名】００１２
【補正方法】変更
【補正の内容】
【００１２】
また、本発明に係る空間殺菌装置では、制御部は、電解量調整部を有し、加湿工程の運転時間から前記トレイ内の水に溶け込んだ空気中成分によって消費される次亜塩素酸量を算出し、電解部の電解量を増大させるものである。
【手続補正５】
【補正対象書類名】明細書
【補正対象項目名】００１４
【補正方法】変更
【補正の内容】
【００１４】
また、本発明に係る空間殺菌装置では、制御部は、運転初期に一定時間、トレイに水を給水せずに送風する集塵工程を備え、集塵工程の実施後にトレイに給水し加湿運転を行う加湿工程と、加湿工程後に電気分解と次亜塩素酸の揮発を行う殺菌工程にそれぞれ移行する運転制御アルゴリズムを備えたものである。
【手続補正６】
【補正対象書類名】明細書
【補正対象項目名】００３６
【補正方法】変更
【補正の内容】
【００３６】
制御部１４は、加湿工程１６が終了させ、送風機６を停止し、殺菌工程１７に移行する。殺菌工程１７は、まず、電極１１への通電を行いトレイ１０内の水に対して一定時間の電気分解を行う。電気分解によって、トレイ１０内に次亜塩素酸水が生成される。電気分解が終了すると再び送風機６の運転を開始し、通風揮発部７に含浸した次亜塩素酸水が空気との接触することとなる。これにより次亜塩素酸水は揮発して、空気風路５のさらに下流側の吹出口４から対象空間へ放出される。そして対象空間の殺菌を行うことができる。殺菌は一定時間で行うものであるが、１回の殺菌工程１７の終了後、トレイ１０内が渇水でない場合には、続けて２回目以降の殺菌工程１７を繰り返してもよい。この場合、図４に示すように電極１１への通電とその後の送風機６の運転を一つのサイクルとして繰り返すことができる。本実施の形態では、電解補助剤の水溶液すなわち塩化ナトリウム水溶液の電気分解において次亜塩素酸を生成しているが、２回目以降の殺菌工程１７を行う場合は１回の殺菌工程１７の電気分解で消費される塩化物イオンの濃度が全体の１０％以下となるように塩化ナトリウムを添加しておけばよい。
【手続補正７】
【補正対象書類名】明細書
【補正対象項目名】００４６
【補正方法】変更
【補正の内容】
【００４６】
本実施の形態において、送風機６はシロッコファンを用いているが、送風を行える機構であればその他の手段を用いてもよく、その構成を制限するものではない。加えて通風揮発部７は回転可能な筒形状のフィルタを使用しているが、次亜塩素酸と気流を接触させることができればよく、その構成を制限するものではない。本実施の形態における電解補助剤３８はタブレット状の塩化ナトリウムを使用しているが、その成分を制限するものではなく、塩化物イオンを供給できるものであれば、塩酸等を用いることもでき、またｐＨの調整を目的にして、りん酸等の緩衝剤を混合してもよい。加えて、タブレット状以外にも、液体での保存や給水タンクに直接追加することも可能であり、その構成を制限するものではない。また、本実施の形態では装置外のボトルとしているが、本体との直結や、取り外し可能な状態で本体に備え付けてもよく、その構成を制限するものではない。
【手続補正８】
【補正対象書類名】明細書
【補正対象項目名】００５６
【補正方法】変更
【補正の内容】
【００５６】
上記構成において、空間殺菌装置２５の動作について説明する。実施の形態１と同様に給水タンク８をトレイ１０内へセットするとトレイ１０内が常に定水位となるように給水タンク８からトレイ１０へと水が給水される。給水検知手段９であるフロートセンサーにトレイ１０内が渇水でないことが確認される。その後、空間殺菌装置２５の運転を開始することで初めに加湿工程１６が開始される。加湿工程１６では通風揮発部７がトレイ１０内の水と接触しながら回転し、常に通風揮発部７は含水された状態となる。同時に送風機６が運転を開始することで含水した通風揮発部７内を空気が通過し、吹出口４から吹き出す空気の加湿が行われる。
【手続補正９】
【補正対象書類名】明細書
【補正対象項目名】００６３
【補正方法】変更
【補正の内容】
【００６３】
（実施の形態３）
図９、図１０（ａ）、（ｂ）に空間殺菌装置の概略図を示す。本実施の形態の空間殺菌装置３３は、集塵フィルタ３４と給水手段３５と集塵工程３６を備えている。本実施の形態の動作について説明する。
【手続補正１０】
【補正対象書類名】明細書
【補正対象項目名】００６５
【補正方法】変更
【補正の内容】
【００６５】
操作スイッチ１５を操作することによって空間殺菌装置３３の運転を開始することができる。
【手続補正１１】
【補正対象書類名】図面
【補正対象項目名】図６
【補正方法】変更
【補正の内容】
【図６】
2019063054.tif 000001
【手続補正１２】
【補正対象書類名】図面
【補正対象項目名】図８
【補正方法】変更
【補正の内容】
【図８】
2019063054.tif 000002
【手続補正１３】
【補正対象書類名】図面
【補正対象項目名】図９
【補正方法】変更
【補正の内容】
【図９】
2019063054.tif 000003
【手続補正１４】
【補正対象書類名】図面
【補正対象項目名】図１０
【補正方法】変更
【補正の内容】
【図１０】
2019063054.tif 000004